(57)【要約】【課題】  水が浸入した場合でも一次端子同士が電気的に接続されることのない内燃機関用点火コイを提供すること。【解決手段】  一次コイル及び二次コイルを配設し、かつ前記一次コイル及び二次コイルを磁気的に結合させる鉄心を絶縁ケース内に収納し、一次コネクタから一次電源を供給する内燃機関用点火コイルであって、前記一次コネクタを構成する複数の一次端子用金具を予め間隔を置いて一体的に成型して固定部材とするとともに、前記固定部材にリブを形成し、この固定部材を二重にモールドして一次コネクタを形成したので、一次端子固定部材とコネクタを構成する樹脂との密着性が増すとともに、水が浸入した場合でもリブが境界となりショートし難くなる。【選択図】  図２
2006278868.tif 000002
【特許請求の範囲】
【請求項１】
一次コイル及び二次コイルを配設し、かつ前記一次コイル及び二次コイルを磁気的に結合させる鉄心を絶縁ケース内に収納し、一次コネクタから一次電源を供給する内燃機関用点火コイルであって、
前記一次コネクタを構成する複数の一次端子用金具を予め間隔を置いて一体的に成型して固定部材とするとともに、前記固定部材にリブを形成し、この固定部材を二重にモールドして一次コネクタを形成したことを特徴とする内燃機関用点火コイル。
【請求項２】
前記固定部材は、一次コネクタの一部として二重成型されることを特徴とする請求項１に記載の内燃機関用点火コイル。
【請求項３】
前記リブは、前記固定部材の表面側を分割するように配設されたことを特徴とする請求項１または２に記載の内燃機関用点火コイル。
【請求項４】
前記リブは、前記一次端子用金具の周囲を囲繞するよう配設されたことを特徴とする請求項１に記載の内燃機関用点火コイル。
【請求項５】
前記リブは、前記固定部材の外周に亘って形成されたことを特徴とする請求項１に記載の内燃機関用点火コイル。
【発明の詳細な説明】
【技術分野】
【０００１】
本発明は、例えば自動車用エンジンの点火プラグにおいて火花放電を発生させる為に高電圧を供給する内燃機関用点火コイルに関するものである。
【背景技術】
【０００２】
従来の内燃機関用点火コイルの一次コネクタの一例を図７、図８に示す（例えば、特許文献１）。ここで、図７は、従来の内燃機関用点火コイルのコネクタ部を示す説明図である。一次端子金具１をコネクタ２として成型する場合、端子金具等の位置を精度よく成型するために、先ず一次端子金具１をモールドしてブロック３を形成し、そのブロック３を二重にモールドして一次コネクタ２を形成していた。
【特許文献１】特開２００４−３０４０８７号公報
【発明の開示】
【発明が解決しようとする課題】
【０００３】
しかし、このように製造された従来の内燃機関用点火コイルでは、図８に示すように一次コネクタでは、二重成型された界面（一次モールドされたブロック３の樹脂と一次コネクタ２の樹脂の境４）にコネクタの開口部から一次端子金具１と成型樹脂の界面を伝わって水が浸入すると、一次端子同士が電気的に接続されて短絡（ショート）する場合があった。
【０００４】
この発明は、上記に鑑み提案されたもので、固定部材にリブを形成し、この固定部材を二重にモールドして一次コネクタを形成したので、コネクタの開口部から水が浸入しても一次端子がショートすることのない内燃機関用点火コイルを提供することを目的とするものである。
【課題を解決するための手段】
【０００５】
上記目的を達成する為に、本発明の内燃機関用点火コイルは、一次コイル及び二次コイルを配設し、かつ前記一次コイル及び二次コイルを磁気的に結合させる鉄心を絶縁ケース内に収納し、一次コネクタから一次電源を供給する内燃機関用点火コイルであって、前記一次コネクタを構成する複数の一次端子用金具を予め間隔を置いて一体的に成型して固定部材とするとともに、前記固定部材にリブを形成し、この固定部材を二重にモールドして一次コネクタを形成したことを特徴としている。
【０００６】
また、請求項２に記載の発明において、前記固定部材は、一次コネクタの一部として二重成型されることを特徴とする。
【０００７】
また、請求項３に記載の発明において、前記リブは、前記固定部材の表面側を分割するように配設されたことを特徴とする。
【０００８】
また、請求項４に記載の発明において、前記リブは、前記一次端子用金具の周囲を囲繞するよう配設されたことを特徴とする。
【０００９】
また、請求項５に記載の発明において、前記リブは、前記固定部材の外周に亘って形成されたことを特徴とする。
【発明の効果】
【００１０】
この発明は上記した構成からなるので、以下に説明するような効果を奏することができる。 
【００１１】
本発明では、一次コイル及び二次コイルを配設し、かつ前記一次コイル及び二次コイルを磁気的に結合させる鉄心を絶縁ケース内に収納し、一次コネクタから一次電源を供給する内燃機関用点火コイルであって、前記一次コネクタを構成する複数の一次端子用金具を予め間隔を置いて一体的に成型して固定部材とするとともに、前記固定部材にリブを形成し、この固定部材を二重にモールドして一次コネクタを形成したので固定部材とコネクタを構成する樹脂との密着性が増すとともに、水が浸入した場合でもリブが境界となりショートし難くなる。
【００１２】
また、本発明では、前記固定部材は、一次コネクタの一部として二重成型されるので、水が浸入した場合でもリブが境界となりショートすることがない。
【００１３】
また、本発明では、前記リブは、前記固定部材の表面側を分割するように配設されたので、水が浸入しても固定部材の表面が区画されているので、水が浸入した場合でもリブが境界となりショートすることがない。
【００１４】
また、本発明では、前記リブは、前記一次端子用金具の周囲を囲繞するよう配設されたので、水が浸入した場合でもリブが境界となりショートすることがない。
【００１５】
また、本発明では、前記リブは、前記固定部材の外周に亘って形成されたので、コネクタの開口部から水が浸入しても一次端子がショートすることがなく、内燃機関用点火コイルの安全性を確保することができる。
【発明を実施するための最良の形態】
【００１６】
複数の一次端子用金具を予め間隔を置いて一体的に成型して固定部材とするとともに、この固定部材にリブを形成したので、水が浸入してもリブでそれ以上の浸入を阻止して一次端子相互のシヨート防止するという目的が達成できる。
【実施例】
【００１７】
以下、一実施の形態を示す図面に基づいて本発明を詳細に説明する。図１は、内燃機関用点火コイルの一例を示す縦断面図、図２は、本発明の内燃機関用点火コイルのコネクタ部を示す説明図、図３は、本発明の内燃機関用点火コイルのコネクタ部に水が浸入した場合を示す説明図である。ここで、内燃機関用点火コイル１０は、一次コイル１１及び二次コイル１２を配設し、かつ前記一次コイル１１及び二次コイル１２を磁気的に結合させる鉄心１３を絶縁ケース１４内に収納し、一次コネクタ１５から一次電源を供給する内燃機関用点火コイルであって、前記一次コネクタ１５を構成する複数の一次端子用金具１６を予め間隔を置いて一体的に成型して固定部材１７とするとともに、前記固定部材１７にリブ１８を形成し、この固定部材１７を二重にモールドして一次コネクタ１５を形成する。
【００１８】
本実施例において、固定部材１７が横長の長方体に形成されており、リブ１８は一次端子用金具１６の差し込み側の前面に形成されている。また、リブ１８は、固定部材１７の長辺を結ぶ直線として、各一次端子用金具１６の間に夫々平行な突起として形成されている。
【００１９】
以上のように構成した内燃機関用点火コイル１０は、図３（ａ）、（ｂ）に示すように一次コネクタ１５の開口から水Ｗが浸入しても、リブ１８の部位で水が分断されて一次端子用金具１６同士が短絡することがない。
【００２０】
図４は、本発明の第２の実施の形態を示す固定部材の説明図である。ここで、図４（ａ）は、固定部材１７の正面図、（ｂ）は側面図である。固定部材１７の一次端子用金具１６の差し込み側の前面に形成されたリブ１９は、Ｓ字であっても良く、傾斜した複数の平行なリブ２０であっても良い。
以上のように構成した固定部材１７を二重モールドして一次コネクタ１５を形成すると、開口からが浸入しても、リブ１９、２０の部位で水が分断されて一次端子用金具１６同士が短絡するのを防止することができる。
【００２１】
図５は、本発明の第３の実施の形態を示すものであり、（ａ）はその正面図、（ｂ）はその側面図である。本実施例では、固定部材１７の一次端子用金具１６の差し込み側の前面に形成されたリブ２１は、一次端子用金具１６の周囲に環状に形成されたリブ２１であっても良く、矩形状に形成されたリブ２２であっても良い。
以上のように構成した固定部材１７を二重モールドして一次コネクタ１５を形成すると、開口から水が浸入しても、リブ２１、２２の部位で水が遮られて一次端子用金具１６同士が短絡するのを防止することができる。
【００２２】
図６は、本発明の第４の実施の形態を示す説明図であり、（ａ）はその正面図、（ｂ）はその側面図である。本実施例では、固定部材１７の周囲に突起状のリブ２３が環状に形成されている。また、リブ２３は、一次端子用金具１６の間に配設されている。
以上のように構成した固定部材１７を二重モールドして一次コネクタ１５を形成すると、開口から水が浸入しても、リブ２３の部位で水が遮られて一次端子用金具１６同士が短絡するのを防止することができる。
【図面の簡単な説明】
【００２３】
【図１】図１は、内燃機関用点火コイルの一例を示す縦断面図である。
【図２】図２は、本発明の内燃機関用点火コイルのコネクタ部を示す説明図である。
【図３】図３は、本発明の内燃機関用点火コイルのコネクタ部に水が浸入した場合を示す説明図である。
【図４】図４は、本発明の第２の実施の形態を示す説明図である。
【図５】図５は、本発明の第３の実施の形態を示す説明図である。
【図６】図６は、本発明の第４の実施の形態を示す説明図である。
【図７】図７は、従来の内燃機関用点火コイルのコネクタ部を示す説明図である。
【図８】図８は、従来のコネクタ部に水が浸入した場合を示す説明図である。
【符号の説明】
【００２４】
１０      内燃機関用点火コイル
１１      一次コイル
１２      二次コイル
１３      鉄心
１４      絶縁ケース
１５      一次コネクタ
１６      一次端子用金具
１７      固定部材
１８〜２３     リブ
【図１】
2006278868.tif 000003
【図２】
2006278868.tif 000004
【図３】
2006278868.tif 000005
【図４】
2006278868.tif 000006
【図５】
2006278868.tif 000007
【図６】
2006278868.tif 000008
【図７】
2006278868.tif 000009
【図８】
2006278868.tif 000010